(57)【特許請求の範囲】
【請求項１】
プレイヤーが所持するゲームカード（Ｃ１，Ｃ２）が載置される複数の区画（11-1〜11-12）を有するカードテーブル（１）と、カードテーブルの各区画に載置されたゲームカードのゲームデータを読み取るカードリーダー（２，２）と、プレイヤーにより操作されるゲーム操作部（３）と、ゲームの進展状況を示す映像を表示するディスプレイ装置（４）と、カードリーダー（２，２）により読み取られたゲームデータ、ゲームカードの配置及びゲーム入力装置の操作信号とに応動し、予め定められたゲームプログラムに従ってゲーム演算を行い、その演算結果により上記ディスプレイ装置に所要の映像を表示するゲーム演算装置とを具備するカードゲーム装置用のカードテーブル（１）であって、
カードテーブル（１）の本体を形成する基盤（１１）の上面の少なくとも一部に、ゲームカード（Ｃ１，Ｃ２）が載置されるべき複数の区画（１１−１〜１１−１２）の境界線に沿って複数の取付穴を設け、各取付穴の内部に、頂部が基盤（１１）の上面に突出するよう上方向へ向けてスプリング付勢されたストッパ（１１ｆ）を設け、プレイヤーの手指によりゲームカードを基盤（１１）の表面に沿って動かしたとき、上記ストッパ（１１ｆ）の突出部分が取付穴内に押し込まれ、カードが隣接する区画へ移動可能なよう構成されていること、
を特徴とする上記のカードテーブル（１）。
【請求項２】
請求項１に記載のカードテーブル（１）を備えたカードゲーム装置（１００）。
【発明の詳細な説明】
【技術分野】
【０００１】
本発明は、プレイヤーによってカードテーブル上に置かれた１枚若しくは複数枚のゲームカードに記録されたゲームデータや、カードテーブル上のゲームカードの配置等をゲーム内容に反映させてゲームを行うカードゲーム装置装置用のカードテーブルの改良及びそのカードテーブルを備えたカードゲーム装置に関するものである。
【背景技術】
【０００２】
プレイヤーが所持するゲームカードが載置されるカードテーブルと、カードテーブル上に載置されたゲームカードのゲームデータを読み取るカードリーダーと、プレイヤーにより操作されるゲーム操作部と、ゲームの進展状況を示す映像を表示するディスプレイ装置と、カードリーダーにより読み取られたゲームデータ、ゲームカードの配置及びゲーム入力装置の操作信号とに応動し、予め定められたゲームプログラムに従ってゲーム演算を行い、その演算結果により上記ディスプレイ装置に所要の映像を表示するゲーム演算装置と、を具備するカードゲーム装置は、例えば下記特許文献１〜３において開示されており、ゲームセンター等でも広く楽しまれている。
【０００３】
しかしながら、カードテーブル上にゲームカードを置いたり、カードテーブル上での位置を変更する等のカード操作を行う場合には、カードを目視し、置くべき位置を目で確認しながら、その作業を行う必要があった。
そのため、ゲームの進展状況を示すディスプレイ装置の表示に集中できなかったり、ゲーム操作部の操作ボタンの操作を間違えたりするなどの問題があった。
また、これらのカードゲーム装置に設けられるカードテーブルは、透明なガラス製又はプラスチック製であるため、静電気等によりゲームカードがテーブル面に貼り付き、手指では簡単に取り上げることができない場合も多く、カード操作に手間取り、ゲームの進行が阻害されるという問題があった。
【０００４】
【特許文献１】特開２００８−０４３５４５号公報
【特許文献２】特開２００８−１２５９７２号公報
【特許文献３】特願２００７−０１３３５３号
【発明の開示】
【発明が解決しようとする課題】
【０００５】
本発明は、上記の問題点を解決するためなされたものであり、その目的とするところは、カード操作のためにカードを目視する必要がなく、これにより、ディスプレイ装置の表示やゲーム操作部の操作に集中でき、ゲーム本来の面白さを享受することのできるカードゲーム装置用のカードテーブル及びそのカードテーブルを備えたカードゲーム装置を提供することにある。
【課題を解決するための手段】
【０００６】
削除
【０００７】
上記の目的は、カードテーブル（１）の本体を形成する基盤（１１）の上面の少なくとも一部に、ゲームカード（Ｃ１，Ｃ２）が載置されるべき複数の区画（１１−１〜１１−１２）の境界線に沿って複数の取付穴を設け、各取付穴の内部に、頂部が基盤（１１）の上面に突出するよう上方向へ向けてスプリング付勢されたストッパ（１１ｆ）を設け、プレイヤーの手指によりゲームカードを基盤（１１）の表面に沿って動かしたとき、上記ストッパ（１１ｆ）の突出部分が取付穴内に押し込まれ、カードが隣接する区画へ移動可能なよう構成されていること、
を特徴とする上記のカードテーブル（１）によって達成できる。
【発明の効果】
【０００８】
上記の如き構成であると、カードテーブル上に置かれたゲームカードを、カードテーブル上の他の区画に移動させるときは、カードを目視しなくても、プレイヤーの手指によりゲームカードを基盤の表面上を滑らせるように動かし、上記ストッパを越えて、隣接する区画へ移動させることが可能であり、その際、ストッパを越えるときに、その感触がカードを介して手指に伝わるので、それを目安にしてカードを新た
な正規の位置に配置することが可能となるものである。
そのため、カード操作のためにカードを目視する必要がなく、これにより、ディスプレイ装置の表示やゲーム操作部の操作に集中でき、ゲーム本来の面白さを味わうことのできるカードゲーム装置用のカードテーブル及びそのカードテーブルを備えたカードゲーム装置を提供し得るものである。
【発明を実施するための最良の形態】
【０００９】
以下、図面を参照しつつ、本発明を実施するための最良の形態について説明する。
図１は、本発明に係るカードテーブルを備えたカードゲーム装置の一実施例の外観斜視図、
図２は、本発明に係るカードテーブルを模式的に示す平面図、
図３は、本発明に係るカードテーブルの一実施例を示す断面図、
である。
【００１０】
図１〜図３中、１はカードテーブル、２，２はカードリーダー、３はゲーム操作部、３１ａ，３１ａは操作ボタン、３１ｂはジョイスティック、４はディスプレイ装置、５はスピーカー、１００はこれらを備えたカードゲーム装置、C１，Ｃ２はゲームカードである。
【００１１】
図１に示すように、本発明に係るカードゲーム装置１００の筐体には、ゲームカードＣ１，Ｃ２を載せてゲームを行うカードテーブル１や、ゲーム操作部３、液晶パネル等から成るディスプレイ装置４、スピーカー５、等々が設けられている。
カードテーブル１上に置かれるゲームカードＣ１，Ｃ２には、各カードに特有のゲームデータが記録されており、ゲーム展開のための情報として利用されるようになっている。
ゲーム操作部３は、プレイヤーがゲームを行なうために操作する操作ボタン３１ａ，３１ａやジョイスティック３１ｂ等々の入力装置から構成されている。図示した実施例においては、１台のカードゲーム機で２人のプレイヤーが対戦プレイ可能なように、ゲーム操作部３が２組設けられている。
ディスプレイ装置４は、ゲームの進行を示す画像や、ゲーム操作方法、ゲーム結果等々の各種情報を表示するためのものである。
スピーカー５は、各種効果音やプレイヤーへの音声指示を行なうものである。
【００１２】
また、図３に示すように、カードテーブル１の下面には、カードリーダー２，２が設けられ、カードテーブル上に置かれたゲームカードＣ１，Ｃ２に記録された各種データを読み取るようになっている。
即ち、ゲームカードＣ１，Ｃ２に各種データがＱＲコード（登録商標）等のパターンによって表示されている場合には、カードテーブルの基盤１１は透明なアクリル板やガラス板で作製され、基盤１１の下面に設けたカードリーダー２，２でこれを読み取るようになっている。
また、ゲームカードＣ１，Ｃ２にＲＦＩＤ（Radio Frequency Identification）チップが内蔵され、そのチップに各種データが記録されている場合には、カードテーブルの基盤１１は不透明なプラスチック板等でもよく、当該チップから発信される電波による情報をカードリーダー２，２で受信し、ゲーム情報として利用するものである。
また、カードゲーム装置の筐体内部のプレイヤーから見えない箇所には、ＣＰＵ等から成るゲーム演算装置が備えられ、カードリーダー２，２により読み取られたゲームデータ、ゲームカードの配置（当該ゲームカードを読み取ったカードリーダー自身の識別記号から、当該ゲームカードがどの区画に置かれているかが知られる。）及びゲーム操作部３からの操作信号とに応動し、予め定められたゲームプログラムに従ってゲーム演算を行い、その演算結果により上記ディスプレイ装置に所要の映像を表示するようになっている。
【００１３】
本発明に係るカードテーブル１の基盤１１は、図２及び図３に示すように、ゲームカードＣ１，Ｃ２が載置される複数の区画１１−１〜１１−１２を有し、各区画上に置かれたゲームカードに記録されているデータを、カードリーダー２，２によってそれぞれ読み取るようになっている。
【００１４】
削除
【００１５】
削除
【００１６】
図３に示した実施例は、ゲームカードを載置すべき複数の区画の境界線に沿って、スプリング１１ｇ，１１ｇによって上方向へ向けて付勢された丸棒状又はボール状のストッパ１１ｆ，１１ｆを設けたものである。ストッパ１１ｆ，１１ｆの頂部は、基盤１１の上面から若干突出するようになっている。
プレイヤーは、手指によりゲームカードＣ１，Ｃ２を基盤１１の表面に沿って動かし、ストッパ１１ｆ，１１ｆの頂部を乗り越えて、隣接する区画へ移動させることができ、その際、各ストッパを乗り越えるときに、その感触がゲームカードを介して手指に伝わるので、それを目安にしてカードを所望の区画の正規の位置に移動させることが可能となるものである。
【００１７】
なお、本発明は上記の実施例に限定されるものではなく、ストッパの形状や長さ、数、配置等は適宜設計変更可能であり、また、本発明のカードテーブルを備えたカードゲーム装置の形態も各種各様のものが可能であり、従って、本発明はその目的の範囲内において、上記の説明から当業者が容易に想到し得るすべての変更実施例を包摂するものである。
【産業上の利用可能性】
【００１８】
本発明は上記の如く構成されから、カードテーブル上に置かれたゲームカードを、カードテーブル上の他の区画に移動させるときは、カードを目視しなくても、プレイヤーの手指によりゲームカードを基盤の表面に沿って滑るように動かし、上記ストッパを越えて隣接する区画へ移動させることが可能であり、その際、ストッパを越えるときに、その感触がカードを介して手指に伝わるので、それを目安にしてカードを新たな正規の位置に移動させることが可能となるものである。
そのため、カード操作のためにカードを目視する必要がなく、これにより、ディスプレイ装置の表示やゲーム操作部の操作に集中でき、ゲーム本来の面白さを享受することのできるカードゲーム装置用のカードテーブル及びそのカードテーブルを備えたカードゲーム装置を提供し得るものであるから、ゲーム機産業の発達に寄与するところ大である。
【図面の簡単な説明】
【００１９】
【図１】本発明に係るカードテーブルを備えたカードゲーム装置の一実施例の外観斜視図である。
【図２】本発明に係るカードテーブルを模式的に示す平面図である。
【図３】本発明に係るカードテーブルの一実施例を示す斜視図及び断面図である。
【符号の説明】
【００２０】
１      カードテーブル
１１    基盤
１１−１〜１１−１２  区画
１１ｆ  ストッパ
１１ｇ  スプリング
２      カードリーダー
３      ゲーム操作部
３１ａ  操作ボタン
３１ｂ  ジョイスティック
４      ディスプレイ装置
５      スピーカー
１００  カードゲーム装置
Ｃ１，Ｃ２  ゲームカード
【図１】
0005376566.tif 000002
【図２】
0005376566.tif 000003
【図３】
0005376566.tif 000004